(57)【要約】【課題】  素管（素管の端部等の一部又は全長）を所望する肉厚に精度良く圧延し得ると共に、素管の表面性状を劣化させることのない圧延制御方法等を提供する。【解決手段】  マンドレルミルＭを構成する各スタンドの内、仕上スタンド＃ｉにおいて素管Ｓを圧延する際に、当該仕上スタンド＃ｉに配設された第１の孔型圧延ロールの圧下位置を外方に変動させるマンドレルミルの圧延制御方法であって、前記仕上スタン＃ｉドと圧下方向が同一である直近の上流スタンド＃ｉ−２において素管を圧延する際に、当該上流スタンド＃ｉ−２に配設された第２の孔型圧延ロールの圧下位置も外方に変動させることを特徴とする。【選択図】    図１
2006015353.tif 000002
【特許請求の範囲】
【請求項１】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドと圧下方向が同一である直近の上流スタンドにおいて素管を圧延する際に、当該上流スタンドに配設された第２の孔型圧延ロールの圧下位置も前記第１の孔型圧延ロールと同様に外方に変動させることを特徴とするマンドレルミルの圧延制御方法。
【請求項２】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドと圧下方向が同一である直近の上流スタンドに配設された第２の孔型圧延ロールの圧下位置を素管の圧延前に予め外方に変更しておくことを特徴とするマンドレルミルの圧延制御方法。
【請求項３】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドの出側に各スタンドの圧下方向に沿った素管の肉厚を測定する肉厚計を配設し、
前記仕上スタンドで予め設定された素管の目標肉厚と、前記肉厚計で測定した素管の実績肉厚とを比較し、
前記目標肉厚よりも前記実績肉厚の方が小さい場合には、次回に圧延する素管について前記第１の孔型圧延ロールの圧下位置変動を中断することを特徴とするマンドレルミルの圧延制御方法。
【請求項４】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドの出側に素管の肉厚を測定する肉厚計を配設し、
前記第１の孔型圧延ロールの圧下位置の変動量と、前記肉厚計で測定した素管の前記第１の孔型圧延ロールの変動方向に沿った実績肉厚の変化量とを比較し、
前記変化量が前記変動量よりも小さければ、次回に圧延する素管について前記第１の孔型圧延ロールの圧下位置変動を中断することを特徴とするマンドレルミルの圧延制御方法。
【請求項５】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドの出側に素管の肉厚を測定する肉厚計を配設し、
今回圧延した素管についての前記第１の孔型圧延ロールの変動後の圧下位置と、前回圧延した素管についての前記第１の孔型圧延ロールの変動後の圧下位置との差を算出すると共に、
今回圧延した素管についての前記肉厚計で測定した前記第１の孔型圧延ロールの変動方向に沿った実績肉厚と、前回圧延した素管についての前記肉厚計で測定した前記第１の孔型圧延ロールの変動方向に沿った実績肉厚との差を算出し、
前記圧下位置の差と前記実績肉厚の差とを比較して、前記実績肉厚の差が前記圧下位置の差よりも小さければ、次回に圧延する素管について前記第１の孔型圧延ロールの圧下位置変動を中断することを特徴とするマンドレルミルの圧延制御方法。
【請求項６】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドの出側に各スタンドの圧下方向に沿った素管の肉厚を測定する肉厚計を配設し、
前記仕上スタンドで予め設定された素管の目標肉厚と、前記肉厚計で測定した素管の実績肉厚とを比較し、
前記目標肉厚よりも前記実績肉厚の方が小さい場合には、
前記仕上スタンドの直近に位置し且つ前記実績肉厚の方が小さい結果が得られた肉厚測定方向と同一の圧下方向を有する上流スタンドにおいて、次回に圧延する素管を圧延する際に、前記上流スタンドに配設された第２の孔型圧延ロールの圧下位置も前記第１の孔型圧延ロールと同様に外方に変動させるか、或いは、
前記仕上スタンドの直近に位置し且つ前記実績肉厚の方が小さい結果が得られた肉厚測定方向と同一の圧下方向を有する上流スタンドに配設された第２の孔型圧延ロールの圧下位置を次回に圧延する素管の圧延前に予め外方に変更しておくことを特徴とするマンドレルミルの圧延制御方法。
【請求項７】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドの出側に素管の肉厚を測定する肉厚計を配設し、
前記第１の孔型圧延ロールの圧下位置の変動量と、前記肉厚計で測定した素管の前記第１の孔型圧延ロールの変動方向に沿った実績肉厚の変化量とを比較し、
前記変化量が前記変動量よりも小さい場合には、
前記仕上スタンドの直近に位置し且つ前記肉厚測定方向と同一の圧下方向を有する上流スタンドにおいて、次回に圧延する素管を圧延する際に、前記上流スタンドに配設された第２の孔型圧延ロールの圧下位置も前記第１の孔型圧延ロールと同様に外方に変動させるか、或いは、
前記仕上スタンドの直近に位置し且つ前記肉厚測定方向と同一の圧下方向を有する上流スタンドに配設された第２の孔型圧延ロールの圧下位置を次回に圧延する素管の圧延前に予め外方に変更しておくことを特徴とするマンドレルミルの圧延制御方法。
【請求項８】
マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、
前記仕上スタンドの出側に素管の肉厚を測定する肉厚計を配設し、
今回圧延した素管についての前記第１の孔型圧延ロールの変動後の圧下位置と、前回圧延した素管についての前記第１の孔型圧延ロールの変動後の圧下位置との差を算出すると共に、
今回圧延した素管についての前記肉厚計で測定した前記第１の孔型圧延ロールの変動方向に沿った実績肉厚と、前回圧延した素管についての前記肉厚計で測定した前記第１の孔型圧延ロールの変動方向に沿った実績肉厚との差を算出し、
前記圧下位置の差と前記実績肉厚の差とを比較して、前記実績肉厚の差が前記圧下位置よりも小さい場合には、
前記仕上スタンドの直近に位置し且つ前記肉厚測定方向と同一の圧下方向を有する上流スタンドにおいて、次回に圧延する素管を圧延する際に、前記上流スタンドに配設された第２の孔型圧延ロールの圧下位置も前記第１の孔型圧延ロールと同様に外方に変動させるか、或いは、
前記仕上スタンドの直近に位置し且つ前記肉厚測定方向と同一の圧下方向を有する上流スタンドに配設された第２の孔型圧延ロールの圧下位置を次回に圧延する素管の圧延前に予め外方に変更しておくことを特徴とするマンドレルミルの圧延制御方法。
【請求項９】
マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置と、前記第１の圧下位置調整装置及び前記第２の圧下位置調整装置に対して孔型圧延ロールの圧下位置調整量を指示するための演算制御装置とを備えた圧延制御装置であって、
前記演算制御装置は、素管の現在位置に基づいて、前記第１の圧下位置調整装置及び前記第２の圧下位置調整装置に対して所定の圧下位置調整量を指示することにより、請求項１又は２に記載の圧延制御方法を実施することを特徴とするマンドレルミルの圧延制御装置。
【請求項１０】
マンドレルミルを構成する各スタンドの内、仕上スタンドに配設された孔型圧延ロールの圧下位置を調整するための圧下位置調整装置と、前記圧下位置調整装置に対して孔型圧延ロールの圧下位置調整量を指示するための演算制御装置とを備えた圧延制御装置であって、
前記演算制御装置は、前記仕上スタンドの出側に配設され各スタンドの圧下方向に沿った素管の肉厚を測定する肉厚計に接続され、当該肉厚計の出力に基づいて、前記圧下位置調整装置に対して圧下位置調整の中断を指示することにより、請求項３から５のいずれかに記載の圧延制御方法を実施することを特徴とするマンドレルミルの圧延制御装置。
【請求項１１】
マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置と、前記第１の圧下位置調整装置及び前記第２の圧下位置調整装置に対して調整量を指示するための演算制御装置とを備えた圧延制御装置であって、
前記演算制御装置は、前記仕上スタンドの出側に配設され各スタンドの圧下方向に沿った素管の肉厚を測定する肉厚計に接続され、当該肉厚計の出力及び素管の現在位置に基づいて、前記第２の圧下位置調整装置に対して所定の調整量を指示することにより、請求項６から８のいずれかに記載の圧延制御方法を実施することを特徴とするマンドレルミルの圧延制御装置。
【請求項１２】
マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置とに接続され、前記第１の圧下位置調整装置及び前記第２の圧下位置調整装置に対して孔型圧延ロールの圧下位置調整量を指示する演算制御装置を動作させるための制御プログラムであって、
素管の現在位置に基づいて、前記第１の圧下位置調整装置及び前記第２の圧下位置調整装置に対して所定の圧下位置調整量を指示することにより、請求項１又は２に記載の圧延制御方法を実施するように前記演算制御装置を動作させることを特徴とする制御プログラム。
【請求項１３】
マンドレルミルを構成する各スタンドの内、仕上スタンドに配設された孔型圧延ロールの圧下位置を調整するための圧下位置調整装置と、前記仕上スタンドの出側に配設され各スタンドの圧下方向に沿った素管の肉厚を測定する肉厚計とに接続され、前記圧下位置調整装置に対して孔型圧延ロールの圧下位置調整量を指示する演算制御装置を動作させるための制御プログラムであって、
前記肉厚計の出力に基づいて、前記圧下位置調整装置に対して圧下位置調整の中断を指示することにより、請求項３から５のいずれかに記載の圧延制御方法を実施するように前記演算制御装置を動作させることを特徴とする制御プログラム。
【請求項１４】
マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置と、前記仕上スタンドの出側に配設され各スタンドの圧下方向に沿った素管の肉厚を測定する肉厚計とに接続され、前記第１の圧下位置調整装置及び前記第２の圧下位置調整装置に対して調整量を指示する演算制御装置を動作させるための制御プログラムであって、
前記肉厚計の出力及び素管の現在位置に基づいて、前記第２の圧下位置調整装置に対して所定の調整量を指示することにより、請求項６から８のいずれかに記載の圧延制御方法を実施するように前記演算制御装置を動作させることを特徴とする制御プログラム。
【請求項１５】
請求項１から８のいずれかに記載の圧延制御方法を実施したマンドレルミルを用いて製造されたことを特徴とする継目無管。
【発明の詳細な説明】
【技術分野】
【０００１】
本発明は、継目無管の製造に使用されるマンドレルミルにおいて、素管（素管の端部等の一部又は全長）を所望する肉厚に精度良く圧延すること等が可能な圧延制御方法、圧延制御装置、制御プログラム及び継目無管に関する。
【背景技術】
【０００２】
マンネスマン−マンドレルミル方式による継目無管の製造においては、まず素材の丸ビレット又は角ビレットを回転炉床式加熱炉で１２００〜１２６０℃に加熱した後、穿孔機でプラグと圧延ロールにより穿孔圧延して中空素管を製造する。次に、前記中空素管の内面にマンドレルバーを串状に挿入し、通常５〜８スタンドからなるマンドレルミルで外面を孔型圧延ロールで拘束して延伸圧延することにより、所定の肉厚まで減肉する。その後、マンドレルバーを抽出した後、前記減肉された素管を絞り圧延機で所定外径に成形圧延して製品を得る。
【０００３】
なお、マンドレルミルとしては、従来より、各スタンドに対向する一対の孔型圧延ロールが配設され、隣接するスタンド間で圧延ロールの圧下方向を９０°ずらして交互に配置した２ロール式マンドレルミルが多く用いられている。また、各スタンドに圧下方向のなす角が９０°である４つの孔型圧延ロールが配設された４ロール式マンドレルミルが一部で適用されており、さらに、各スタンドに圧下方向のなす角が１２０°である３つの孔型圧延ロールが配設され、隣接するスタンド間で圧延ロールの圧下方向を６０°ずらして交互に配置した３ロール式マンドレルミルも提案されている。
【０００４】
ここで、絞り圧延機においては、特に圧延する素管が厚肉である場合に、素管端部の肉厚が中央部に比べて薄くなるという薄肉化現象が生じることが知られている。従って、斯かる絞り圧延機で生じる素管端部の薄肉化現象を相殺するべく、前工程のマンドレルミルにおいて素管の端部を厚肉化する圧延制御方法が提案されている（例えば、特許文献１参照）。
【０００５】
より具体的に説明すれば、特許文献１に記載の圧延制御方法は、素管の端部がマンドレルミルの仕上スタンド等を通過する際に、後工程の絞り圧延機で生じる素管端部の減肉量を相殺し得る量だけ前記仕上スタンド等に配設された孔型圧延ロールのギャップを開くように設定する方法である（特許文献１の請求項１、段落００１２参照）。
【０００６】
しかしながら、本発明の発明者らが特許文献１に記載の方法に従って実際に圧延試験を実施したところ、素管の端部を所望する肉厚に精度良く圧延することができないと共に、素管の表面性状が劣化する場合のあることが分かった。
【０００７】
一方、マンドレルミル出側での実際の素管肉厚に応じてギャップの開き量を調整するような構成（例えば、特許文献２参照）を採用すれば、所望する肉厚に精度良く圧延し得ることが期待できる。つまり、例えば、肉厚計で測定したマンドレルミル出側での実際の素管肉厚が所望する肉厚よりも小さくなった場合には、その差に応じてギャップの開き量が大きくなるように調整すれば（すなわち、孔型圧延ロールの圧下位置を外方に変動させれば）、肉厚精度を高め得ることが期待できる。
【０００８】
しかしながら、斯かる考えに基づいて本発明の発明者らが実際に圧延試験を実施したところ、ギャップの開き量が際限なく大きくなり（孔型圧延ロールが外方に際限なく変動し）、所望の肉厚を得ることができない場合のあることが分かった。
【特許文献１】特開平６−１９０４０６号公報
【特許文献２】特開平８−７１６１６号公報
【発明の開示】
【発明が解決しようとする課題】
【０００９】
本発明は、斯かる従来技術の課題を解決するべくなされたものであり、継目無管の製造に使用されるマンドレルミルにおいて、素管（素管の端部等の一部又は全長）を所望する肉厚に精度良く圧延し得ると共に、素管の表面性状を劣化させることのない圧延制御方法、圧延制御装置、制御プログラム及び継目無管を提供することを課題とする。
【課題を解決するための手段】
【００１０】
前記課題を解決するべく、本発明の発明者らは、まず特許文献１に記載の方法によって素管を所望する肉厚に精度良く圧延できなかったり表面性状を劣化させる場合の原因について鋭意検討した。その結果、通常、仕上スタンド（素管の周方向位置が同一である部位に最後に接する孔型圧延ロールが配設されたスタンド）では素管の表面性状を良好にするべく、孔型圧延ロールによる圧下量を小さく設定しているが、そのような状態で仕上スタンドに配設された孔型圧延ロールのギャップを開く（すなわち、圧下位置を外方に変動させる）際に、仕上スタンドに対して素管の搬送方向上流側に位置するスタンド（上流スタンド）に配設された孔型圧延ロールの圧下位置を何ら調整しなければ（初期設定された圧下位置のままであれば）、後述する「溝底未圧延」という現象が生じる場合のあることを見出した。
【００１１】
ここで「溝底未圧延」とは、仕上スタンド入側での素管の溝底部肉厚（孔型圧延ロールの溝底部に対向する部分の肉厚）が、仕上スタンドにおけるマンドレルバーと孔型圧延ロールとの間隙よりも小さくなる結果、仕上スタンドで圧延されない状態（未圧延）となることを意味する。
【００１２】
以下、斯かる「溝底未圧延」が生じる理由を説明する。板材を圧延する際には、圧下方向が板材に対して垂直な一方向のみであるため、上流スタンドに配設された圧延ロール間の間隙≧下流スタンドに配設された圧延ロール間の間隙と設定すれば、下流スタンドに配設された圧延ロールで板材が未圧延となることはない。しかしながら、管材である素管を圧延するマンドレルミルにおいては、前述した２ロール式、３ロール式及び４ロール式のいずれの場合であっても、隣接するスタンド間で素管を圧下する位置（孔型圧延ロールの溝底部の位置）が周方向に異なる上、孔型圧延ロールの溝底部に対向する部分の肉厚のみならず、直接的には圧下力を付与されない孔型圧延ロールのフランジ部に対向する部分の肉厚もある程度減じられることになる。フランジ部に対向する部分は、直接的には圧下力を付与されない部分であるため、その減肉量を制御することは困難であり、その値がある程度予測できるに過ぎない。斯かる減肉量の予測にずれが生じる（予測した以上に減肉量が大きくなる）と、たとえ、上流スタンドに配設された孔型圧延ロール間の間隙≧下流スタンド（仕上スタンド）に配設された孔型圧延ロール間の間隙と設定しても、上流スタンドにおいて孔型圧延ロールのフランジ部に対向する減肉量の大きい部分が仕上スタンドの孔型圧延ロールの溝底部で圧延される際に、その肉厚がマンドレルバーと孔型圧延ロールとの間隙よりも小さくなる場合があり、これにより前述した「溝底未圧延」が生じることになる。
【００１３】
斯かる「溝底未圧延」が生じると、仕上スタンドにおいて素管を所望する肉厚に精度良く圧延できないことになる。換言すれば、仕上スタンドにおいて未圧延になってしまうほどに、上流スタンドに配設された孔型圧延ロールのフランジ部で過度に減肉が生じていることになるため、仕上スタンド出側における素管の肉厚は、所望する肉厚よりも薄肉になってしまう。また、仕上スタンドの本来の目的は、軽圧下によって（圧下量を小さく設定することにより）素管の内外表面をなだらかな性状に仕上げることであるが、「溝底未圧延」が生じると、全く圧下されないことになるため、表面性状が劣化することになる。
【００１４】
以上に説明したように、本発明の発明者らは、素管を所望する肉厚に精度良く圧延できなかったり表面性状を劣化させる場合の原因が、「溝底未圧延」という現象にあることを見出し、斯かる「溝底未圧延」が生じないようにする方法をさらに鋭意検討した。その結果、仕上スタンドに配設された孔型圧延ロールのみならず、上流スタンドに配設された孔型圧延ロールも同様に変動させること等によって「溝底未圧延」を防止できることを見出した。本発明は、斯かる知見に基づき完成されたものである。
【００１５】
すなわち、本発明は、特許請求の範囲の請求項１に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドと圧下方向が同一である直近の上流スタンドにおいて素管を圧延する際に、当該上流スタンドに配設された第２の孔型圧延ロールの圧下位置も前記第１の孔型圧延ロールと同様に外方に変動させることを特徴とするマンドレルミルの圧延制御方法を提供するものである。
【００１６】
斯かる発明によれば、仕上スタンドと圧下方向が同一である直近の上流スタンドにおいて素管を圧延する際に、当該上流スタンドに配設された第２の孔型圧延ロールの圧下位置も前記第１の孔型圧延ロールと同様に外方に変動させることになる。換言すれば、仕上スタンドよりも２スタンドだけ上流に位置するスタンドにおいて素管を圧延する際にも、当該スタンドに配設された第２の孔型圧延ロールの圧下位置を前記第１の孔型圧延ロールと同様に外方に変動させることになる。従って、第２の孔型圧延ロールで素管を圧延する際における溝底部での圧下量が低下するため、これにより次のスタンドに配設された孔型圧延ロールのフランジ部に対向する部分の肉厚が過度に減肉されることがなく、ひいては次の仕上スタンドに配設された第１の孔型圧延ロールで圧延する際に「溝底未圧延」が生じることがない。これにより、素管を所望する肉厚に精度良く圧延し得ると共に、素管の表面性状を劣化させることがないという優れた利点が得られる。なお、「前記第１の孔型圧延ロールと同様に外方に変動させる」とは、第１の孔型圧延ロールの圧下位置を素管の端部等の一部について外方に変動させる場合には、第２の孔型圧延ロールの圧下位置も素管の端部等の対応する一部について外方に変動させ、第１の孔型圧延ロールの圧下位置を素管の全長に亘って外方に変動させる場合には、第２の孔型圧延ロールの圧下位置も素管の全長に亘って外方に変動させることを意味する。本明細書においては、「前記第１の孔型圧延ロールと同様に外方に変動させる」の語句を全て同様の意味で用いている。
【００１７】
なお、前記発明は、上流スタンド（仕上スタンドと圧下方向が同一である直近の上流スタンド）において圧延される素管の位置（先端部、中央部、後端部）に応じて、第２の孔型圧延ロールの圧下位置を変動させ得る機構を備えたマンドレルミルには適用可能であるものの、マンドレルミルの中には、仕上スタンドを除いて上記機構を具備しないミルも存在する。このようなマンドレルミルに対しては、素管の位置に応じて圧下位置を変動させるのではなく、素管を圧延する前に予め外方に変更しておけばよい。
【００１８】
すなわち、前記課題を解決するべく、本発明は、特許請求の範囲の請求項２に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドと圧下方向が同一である直近の上流スタンドに配設された第２の孔型圧延ロールの圧下位置を素管の圧延前に予め外方に変更しておくことを特徴とするマンドレルミルの圧延制御方法としても提供される。
【００１９】
また、前記課題を解決するべく、本発明は、特許請求の範囲の請求項３に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドの出側に各スタンドの圧下方向に沿った素管の肉厚を測定する肉厚計を配設し、前記仕上スタンドで予め設定された素管の目標肉厚と、前記肉厚計で測定した素管の実績肉厚とを比較し、前記目標肉厚よりも前記実績肉厚の方が小さい場合には、次回に圧延する素管について前記第１の孔型圧延ロールの圧下位置変動を中断することを特徴とするマンドレルミルの圧延制御方法としても提供される。
【００２０】
斯かる発明によれば、仕上スタンドの出側に肉厚計を配設し、仕上スタンドで予め設定された素管の目標肉厚と、肉厚計で測定した素管の実績肉厚とを比較することになる。ここで、比較した結果、目標肉厚よりも実績肉厚の方が小さい場合には、「溝底未圧延」が発生している可能性がある。本発明では、このような場合に、一律に「溝底未圧延」が発生していると判断し、次回に圧延する素管について前記第１の孔型圧延ロールの圧下位置変動を中断するように構成している。従って、次回に圧延する素管については、第１の孔型圧延ロールの外方への変動が中断されるため、当該第１の孔型圧延ロールの圧下量が低下せず、仕上スタンドにおける「溝底未圧延」を防止することが可能である。
【００２１】
なお、上記「第１の孔型圧延ロールの圧下位置変動を中断する」とは、下記（１）および（２）の２つのケースを含む意味として用いている。すなわち、
（１）第１の孔型圧延ロールの外方への変動量は、肉厚計によって測定した実績肉厚に関わらず予め設定した値としている。このケースにおける「圧下位置変動を中断する」とは、（ａ）素管の一部（端部等）を圧延する際にも、素管の残りの部分（中央部等）を圧延する際と同じ圧下位置に維持する、あるいは（ｂ）今回圧延した素管についての第１の孔型圧延ロールの圧下位置と同じ圧下位置にするという意味である。
（２）第１の孔型圧延ロールの外方への変動量は、予め設定しているが、肉厚計によって測定した実績肉厚に応じてその設定値を変更（実績肉厚の方が目標肉厚よりも大きい場合には、その差の分だけ変動量を小さく設定し直す等）し、次回に圧延する素管に適用する。このケースにおける「圧下位置変動を中断する」とは、肉厚計によって測定した実績肉厚に応じた設定値の変更を中断し、次回に圧延する素管についても今回の設定値のままで第１の孔型圧延ロールを変動させるという意味である。
【００２２】
特に、第１の孔型圧延ロールの外方への変動量設定値を、肉厚計によって測定した実績肉厚に応じて変更する構成を採用した場合、「溝底未圧延」が生じて目標肉厚よりも実績肉厚の方が小さくなったときには、前述したように（段落０００８）、孔型圧延ロールを外方に際限なく変動させてしまうという問題が生じる。しかしながら、本発明によれば、上記（２）のように第１の孔型圧延ロールの外方への変動が中断（肉厚計によって測定した実績肉厚に応じた設定値の変更が中断）されるため、斯かる問題を解決することが可能である。
【００２３】
なお、前記発明は、目標肉厚と実績肉厚とを比較することにより「溝底未圧延」の発生有無を判断する構成であるが、これに替えて、第１の孔型圧延ロールの圧下位置の変動量と、肉厚計で測定した素管の第１の孔型圧延ロールの変動方向に沿った実績肉厚の変化量とを比較し、変化量が変動量よりも小さければ、「溝底未圧延」が生じていると判断する構成を採用することも可能である。換言すれば、変動量よりも変化量の方が小さい場合には、圧下位置変動後の第１の孔型圧延ロールの溝底と素管の外周面とが接触せずに「溝底未圧延」が生じている可能性があるため、このような場合に、一律に「溝底未圧延」が発生していると判断する構成を採用することが可能である。
【００２４】
すなわち、本発明は、特許請求の範囲の請求項４に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドの出側に素管の肉厚を測定する肉厚計を配設し、前記第１の孔型圧延ロールの圧下位置の変動量と、前記肉厚計で測定した素管の前記第１の孔型圧延ロールの変動方向に沿った実績肉厚の変化量とを比較し、前記変化量が前記変動量よりも小さければ、次回に圧延する素管について前記第１の孔型圧延ロールの圧下位置変動を中断することを特徴とするマンドレルミルの圧延制御方法としても提供される。
【００２５】
さらに、目標肉厚と実績肉厚とを比較することにより「溝底未圧延」の発生有無を判断する構成に替えて、今回圧延した素管についての前記第１の孔型圧延ロールの変動後の圧下位置と、前回圧延した素管についての前記第１の孔型圧延ロールの変動後の圧下位置との差を算出すると共に、今回圧延した素管についての前記肉厚計で測定した前記第１の孔型圧延ロールの変動方向に沿った実績肉厚と、前回圧延した素管についての前記肉厚計で測定した前記第１の孔型圧延ロールの変動方向に沿った実績肉厚との差を算出し、前記圧下位置の差と前記実績肉厚の差とを比較して、前記実績肉厚の差が前記圧下位置の差よりも小さければ、「溝底未圧延」が生じていると判断する構成を採用することも可能である。換言すれば、圧下位置の差よりも実績肉厚の差が小さい場合には、今回の圧延について、圧下位置変動後の第１の孔型圧延ロールの溝底と素管の外周面とが接触せずに「溝底未圧延」が生じている可能性があるため、このような場合に、一律に「溝底未圧延」が発生していると判断する構成を採用することが可能である。
【００２６】
すなわち、本発明は、特許請求の範囲の請求項５に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドの出側に素管の肉厚を測定する肉厚計を配設し、今回圧延した素管についての前記第１の孔型圧延ロールの変動後の圧下位置と、前回圧延した素管についての前記第１の孔型圧延ロールの変動後の圧下位置との差を算出すると共に、今回圧延した素管についての前記肉厚計で測定した前記第１の孔型圧延ロールの変動方向に沿った実績肉厚と、前回圧延した素管についての前記肉厚計で測定した前記第１の孔型圧延ロールの変動方向に沿った実績肉厚との差を算出し、前記圧下位置の差と前記実績肉厚の差とを比較して、前記実績肉厚の差が前記圧下位置の差よりも小さければ、次回に圧延する素管について前記第１の孔型圧延ロールの圧下位置変動を中断することを特徴とするマンドレルミルの圧延制御方法としても提供される。
【００２７】
また、前記課題を解決するべく、本発明は、特許請求の範囲の請求項６に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドの出側に各スタンドの圧下方向に沿った素管の肉厚を測定する肉厚計を配設し、前記仕上スタンドで予め設定された素管の目標肉厚と、前記肉厚計で測定した素管の実績肉厚とを比較し、前記目標肉厚よりも前記実績肉厚の方が小さい場合には、前記仕上スタンドの直近に位置し且つ前記実績肉厚の方が小さい結果が得られた肉厚測定方向と同一の圧下方向を有する上流スタンドにおいて、次回に圧延する素管を圧延する際に、前記上流スタンドに配設された第２の孔型圧延ロールの圧下位置も前記第１の孔型圧延ロールと同様に外方に変動させるか、或いは、前記仕上スタンドの直近に位置し且つ前記実績肉厚の方が小さい結果が得られた肉厚測定方向と同一の圧下方向を有する上流スタンドに配設された第２の孔型圧延ロールの圧下位置を次回に圧延する素管の圧延前に予め外方に変更しておくことを特徴とするマンドレルミルの圧延制御方法としても提供される。
【００２８】
斯かる発明によれば、仕上スタンドの出側に肉厚計を配設し、仕上スタンドで予め設定された素管の目標肉厚と、肉厚計で測定した素管の実績肉厚とを比較することになる。ここで、比較した結果、目標肉厚よりも実績肉厚の方が小さい場合には、当該肉厚測定方向について「溝底未圧延」が発生している可能性がある。本発明では、このような場合に、一律に「溝底未圧延」が発生していると判断し、（１）仕上スタンドの直近に位置し且つ前記実績肉厚の方が小さい結果が得られた肉厚測定方向と同一の圧下方向を有する上流スタンドにおいて、次回に圧延する素管を圧延する際に、前記上流スタンドに配設された第２の孔型圧延ロールの圧下位置も外方に変動させるか、或いは、（２）仕上スタンドの直近に位置し且つ前記実績肉厚の方が小さい結果が得られた肉厚測定方向と同一の圧下方向を有する上流スタンドに配設された第２の孔型圧延ロールの圧下位置を次回に圧延する素管の圧延前に予め外方に変更しておくように構成している。
【００２９】
従って、上記（１）及び（２）のいずれの場合にも、次回に圧延する素管については、「溝底未圧延」が発生していると判断された方向と同一の圧下方向を有する上流スタンドにおける圧下量が低下し、当該圧下方向についての素管の肉厚が増加するため、仕上スタンドで圧延する際の「溝底未圧延」を防止することが可能である。なお、上記（１）の構成は、上流スタンドにおいて圧延される素管の位置（先端部、中央部、後端部）に応じて、第２の孔型圧延ロールの圧下位置を変動させ得る機構を備えたマンドレルミルに対して好適に適用される。また、上記（２）の構成は、仕上スタンドを除いて上記機構を具備しないマンドレルミルに対して好適に適用される。
【００３０】
なお、前記発明は、目標肉厚と実績肉厚とを比較することにより「溝底未圧延」の発生有無を判断する構成であるが、これに替えて、第１の孔型圧延ロールの圧下位置の変動量と、肉厚計で測定した素管の第１の孔型圧延ロールの変動方向に沿った実績肉厚の変化量とを比較し、変化量が変動量よりも小さければ、「溝底未圧延」が生じていると判断する構成を採用することも可能である。
【００３１】
すなわち、本発明は、特許請求の範囲の請求項７に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドの出側に素管の肉厚を測定する肉厚計を配設し、前記第１の孔型圧延ロールの圧下位置の変動量と、前記肉厚計で測定した素管の前記第１の孔型圧延ロールの変動方向に沿った実績肉厚の変化量とを比較し、前記変化量が前記変動量よりも小さい場合には、前記仕上スタンドの直近に位置し且つ前記肉厚測定方向と同一の圧下方向を有する上流スタンドにおいて、次回に圧延する素管を圧延する際に、前記上流スタンドに配設された第２の孔型圧延ロールの圧下位置も前記第１の孔型圧延ロールと同様に外方に変動させるか、或いは、前記仕上スタンドの直近に位置し且つ前記肉厚測定方向と同一の圧下方向を有する上流スタンドに配設された第２の孔型圧延ロールの圧下位置を次回に圧延する素管の圧延前に予め外方に変更しておくことを特徴とするマンドレルミルの圧延制御方法としても提供される。
【００３２】
さらに、目標肉厚と実績肉厚とを比較することにより「溝底未圧延」の発生有無を判断する構成に替えて、今回圧延した素管についての前記第１の孔型圧延ロールの変動後の圧下位置と、前回圧延した素管についての前記第１の孔型圧延ロールの変動後の圧下位置との差を算出すると共に、今回圧延した素管についての前記肉厚計で測定した前記第１の孔型圧延ロールの変動方向に沿った実績肉厚と、前回圧延した素管についての前記肉厚計で測定した前記第１の孔型圧延ロールの変動方向に沿った実績肉厚との差を算出し、前記圧下位置の差と前記実績肉厚の差とを比較して、前記実績肉厚の差が前記圧下位置の差よりも小さければ、「溝底未圧延」が生じていると判断する構成を採用することも可能である。
【００３３】
すなわち、本発明は、特許請求の範囲の請求項８に記載の如く、マンドレルミルを構成する各スタンドの内、仕上スタンドにおいて素管を圧延する際に、当該仕上スタンドに配設された第１の孔型圧延ロールの圧下位置を外方に変動させるマンドレルミルの圧延制御方法であって、前記仕上スタンドの出側に素管の肉厚を測定する肉厚計を配設し、今回圧延した素管についての前記第１の孔型圧延ロールの変動後の圧下位置と、前回圧延した素管についての前記第１の孔型圧延ロールの変動後の圧下位置との差を算出すると共に、今回圧延した素管についての前記肉厚計で測定した前記第１の孔型圧延ロールの変動方向に沿った実績肉厚と、前回圧延した素管についての前記肉厚計で測定した前記第１の孔型圧延ロールの変動方向に沿った実績肉厚との差を算出し、前記圧下位置の差と前記実績肉厚の差とを比較して、前記実績肉厚の差が前記圧下位置よりも小さい場合には、前記仕上スタンドの直近に位置し且つ前記肉厚測定方向と同一の圧下方向を有する上流スタンドにおいて、次回に圧延する素管を圧延する際に、前記上流スタンドに配設された第２の孔型圧延ロールの圧下位置も前記第１の孔型圧延ロールと同様に外方に変動させるか、或いは、前記仕上スタンドの直近に位置し且つ前記肉厚測定方向と同一の圧下方向を有する上流スタンドに配設された第２の孔型圧延ロールの圧下位置を次回に圧延する素管の圧延前に予め外方に変更しておくことを特徴とするマンドレルミルの圧延制御方法としても提供される。
【００３４】
なお、本発明は、特許請求の範囲の請求項９に記載の如く、マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置と、前記第１の圧下位置調整装置及び前記第２の圧下位置調整装置に対して孔型圧延ロールの圧下位置調整量を指示するための演算制御装置とを備えた圧延制御装置であって、前記演算制御装置は、素管の現在位置に基づいて、前記第１の圧下位置調整装置及び前記第２の圧下位置調整装置に対して所定の圧下位置調整量を指示することにより、請求項１又は２に記載の圧延制御方法を実施することを特徴とするマンドレルミルの圧延制御装置としても提供される。
【００３５】
また、本発明は、特許請求の範囲の請求項１０に記載の如く、マンドレルミルを構成する各スタンドの内、仕上スタンドに配設された孔型圧延ロールの圧下位置を調整するための圧下位置調整装置と、前記圧下位置調整装置に対して孔型圧延ロールの圧下位置調整量を指示するための演算制御装置とを備えた圧延制御装置であって、前記演算制御装置は、前記仕上スタンドの出側に配設され各スタンドの圧下方向に沿った素管の肉厚を測定する肉厚計に接続され、当該肉厚計の出力に基づいて、前記圧下位置調整装置に対して圧下位置調整の中断を指示することにより、請求項３から５のいずれかに記載の圧延制御方法を実施することを特徴とするマンドレルミルの圧延制御装置としても提供される。
【００３６】
さらに、本発明は、特許請求の範囲の請求項１１に記載の如く、マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置と、前記第１の圧下位置調整装置及び前記第２の圧下位置調整装置に対して調整量を指示するための演算制御装置とを備えた圧延制御装置であって、前記演算制御装置は、前記仕上スタンドの出側に配設され各スタンドの圧下方向に沿った素管の肉厚を測定する肉厚計に接続され、当該肉厚計の出力及び素管の現在位置に基づいて、前記第２の圧下位置調整装置に対して所定の調整量を指示することにより、請求項６から８のいずれかに記載の圧延制御方法を実施することを特徴とするマンドレルミルの圧延制御装置としても提供される。
【００３７】
また、本発明は、特許請求の範囲の請求項１２に記載の如く、マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置とに接続され、前記第１の圧下位置調整装置及び前記第２の圧下位置調整装置に対して孔型圧延ロールの圧下位置調整量を指示する演算制御装置を動作させるための制御プログラムであって、素管の現在位置に基づいて、前記第１の圧下位置調整装置及び前記第２の圧下位置調整装置に対して所定の圧下位置調整量を指示することにより、請求項１又は２に記載の圧延制御方法を実施するように前記演算制御装置を動作させることを特徴とする制御プログラムとしても提供される。
【００３８】
また、本発明は、特許請求の範囲の請求項１３に記載の如く、マンドレルミルを構成する各スタンドの内、仕上スタンドに配設された孔型圧延ロールの圧下位置を調整するための圧下位置調整装置と、前記仕上スタンドの出側に配設され各スタンドの圧下方向に沿った素管の肉厚を測定する肉厚計とに接続され、前記圧下位置調整装置に対して孔型圧延ロールの圧下位置調整量を指示する演算制御装置を動作させるための制御プログラムであって、前記肉厚計の出力に基づいて、前記圧下位置調整装置に対して圧下位置調整の中断を指示することにより、請求項３から５のいずれかに記載の圧延制御方法を実施するように前記演算制御装置を動作させることを特徴とする制御プログラムとしても提供される。
【００３９】
また、本発明は、特許請求の範囲の請求項１４に記載の如く、マンドレルミルを構成する各スタンドの内、仕上スタンドに配設された孔型圧延ロールの圧下位置を調整するための第１の圧下位置調整装置と、前記仕上スタンドと圧下方向が同一である直近の上流スタンドに配設された孔型圧延ロールの圧下位置を調整するための第２の圧下位置調整装置と、前記仕上スタンドの出側に配設され各スタンドの圧下方向に沿った素管の肉厚を測定する肉厚計とに接続され、前記第１の圧下位置調整装置及び前記第２の圧下位置調整装置に対して調整量を指示する演算制御装置を動作させるための制御プログラムであって、前記肉厚計の出力及び素管の現在位置に基づいて、前記第２の圧下位置調整装置に対して所定の調整量を指示することにより、請求項６から８のいずれかに記載の圧延制御方法を実施するように前記演算制御装置を動作させることを特徴とする制御プログラムとしても提供される。
【００４０】
さらに、本発明は、特許請求の範囲の請求項１５に記載の如く、請求項１から８のいずれかに記載の圧延制御方法を実施したマンドレルミルを用いて製造されたことを特徴とする継目無管としても提供される。
【発明の効果】
【００４１】
本発明によれば、仕上スタンドと圧下方向が同一である直近の上流スタンドにおいて素管を圧延する際に、当該上流スタンドに配設された第２の孔型圧延ロールの圧下位置も外方に変動させることになる。換言すれば、仕上スタンドよりも２スタンドだけ上流に位置するスタンドにおいて素管を圧延する際にも、当該スタンドに配設された第２の孔型圧延ロールの圧下位置を外方に変動させることになる。従って、第２の孔型圧延ロールで素管を圧延する際における溝底部での圧下量が低下するため、これにより次のスタンドに配設された孔型圧延ロールのフランジ部に対向する部分の肉厚が過度に減肉されることがなく、ひいては次の仕上スタンドに配設された第１の孔型圧延ロールで圧延する際に「溝底未圧延」が生じることがない。これにより、素管を所望する肉厚に精度良く圧延し得ると共に、素管の表面性状を劣化させることがないという優れた利点が得られる。
【発明を実施するための最良の形態】
【００４２】
以下、添付図面を適宜参照しつつ、本発明の実施形態について説明する。なお、以下に説明する実施形態では、仕上スタンドで素管の端部を圧延する際に当該仕上スタンドに配設された孔型圧延ロールの圧下位置を外方に変動させる態様について説明するが、本発明はこれに限るものではなく、素管の全長に亘って仕上スタンドに配設された孔型圧延ロールの圧下位置を外方に変動させる場合も含むものである。
＜第１の実施形態＞
図１は、本発明の第１の実施形態に係るマンドレルミルの圧延制御方法を実施するための圧延制御装置の概略構成を模式的に示すブロック図である。
図１に示すように、本実施形態に係る圧延制御装置１は、第１の圧下位置調整装置１１と、第２の圧下位置調整装置１２と、演算制御装置１３とを備えている。
【００４３】
第１の圧下位置調整装置１１は、マンドレルミルＭを構成する各スタンドの内、仕上スタンド＃ｉに配設された孔型圧延ロールの圧下位置を調整するためのシリンダー等から構成されている。第２の圧下位置調整装置１２は、仕上スタンド＃ｉと圧下方向が同一である直近の上流スタンド（仕上スタンド＃ｉよりも２スタンドだけ上流に位置するスタンドになる）＃ｉ−２に配設された孔型圧延ロールの圧下位置を調整するためのシリンダー等から構成されている。演算制御装置１３は、第１の圧下位置調整装置１１及び第２の圧下位置調整装置１２に接続され、素管Ｓの端部の現在位置に基づいて、第１の圧下位置調整装置１１及び第２の圧下位置調整装置１２に対して所定の圧下位置調整量を指示するように構成されている。なお、本実施形態に係る第１及び第２の圧下位置調整装置１１、１２は、双方共に、一本の素管Ｓを圧延中に当該素管Ｓの位置（先端部、中央部、後端部）に応じて孔型圧延ロールの圧下位置を変動させ得る機構とされている。
【００４４】
演算制御装置１３は、ＣＰＵ、メモリ、外部記憶装置、外部入出力インタフェース等のハードウェアを具備するコンピュータから構成されており、内蔵する制御プログラムに従ってこれらハードウェアを適宜駆動することにより、第１の圧下位置設定部１３１と、第２の圧下位置設定部１３２としての機能を奏する。
【００４５】
第１の圧下位置設定部１３１には、例えば、マンドレルミルＭの入側に配設された検出センサ（図示せず）で素管Ｓの端部を検出したことを示す端部検出信号が入力される。また、例えば、上位のプロセスコンピュータ（図示せず）から、前記検出センサとスタンド＃ｉとの距離、素管Ｓの搬送速度、マンドレルミルＭにおける素管Ｓの延伸率等が入力される。第１の圧下位置設定部１３１は、前記入力された信号及びデータに基づき、素管Ｓの端部の現在位置を演算する。より具体的には、素管Ｓの端部（先端部及び後端部）が仕上スタンド＃ｉに到達するタイミングと、抜け出るタイミングとを算出する。
【００４６】
第１の圧下位置設定部１３１は、前記算出したタイミングに基づいて、仕上スタンド＃ｉに配設された第１の孔型圧延ロールの圧下位置調整量を設定し、当該設定した圧下位置調整量を第１の圧下位置調整装置１１に対して送信する。より具体的に説明すれば、第１の圧下位置設定部１３１には、仕上スタンド＃ｉにおいて素管Ｓの端部を圧延する際の第１の孔型圧延ロールの圧下位置Ａと、素管Ｓの中央部を圧延する際の第１の孔型圧延ロールの圧下位置Ｂとがそれぞれ記憶されている。第１の圧下位置設定部１３１は、素管Ｓの先端部が仕上スタンド＃１に到達するタイミングまでに、第１の孔型圧延ロールを圧下位置Ｂから圧下位置Ａに変動させるべく、Ａ−Ｂを圧下位置調整量として設定し、これを第１の圧下位置調整装置１１に対して送信する。同様にして、第１の圧下位置設定部１３１は、素管Ｓの先端部が仕上スタンド＃１から抜け出るタイミングで、第１の孔型圧延ロールを圧下位置Ａから圧下位置Ｂに変動させるべく、Ｂ−Ａを圧下位置調整量として設定し、これを第１の圧下位置調整装置１１に対して送信する。その後、素管Ｓの後端部が仕上スタンド＃１に到達するタイミングで、Ａ−Ｂを圧下位置調整量として設定し、これを第１の圧下位置調整装置１１に対して送信する。さらに、素管Ｓの後端部が仕上スタンド＃１から抜け出たタイミングから次に圧延する素管Ｓの先端部が仕上スタンド＃１に到達するタイミングまでに、第１の孔型圧延ロールを圧下位置Ａから圧下位置Ｂに変動させるべく、Ｂ−Ａを圧下位置調整量として設定し、これを第１の圧下位置調整装置１１に対して送信する。
【００４７】
以上の構成により、仕上スタンド＃ｉにおいて素管Ｓの端部を圧延する際に、当該仕上スタンド＃ｉに配設された第１の孔型圧延ロールの圧下位置を外方（すなわち、圧下位置Ｂ）に変動させることが可能である。なお、圧下位置Ａ、Ｂは、圧延する素管Ｓの寸法、肉厚、材料等に応じて異なる値であるため、第１の圧下位置調整装置１１には、それぞれ寸法、肉厚、材料等に応じた複数の圧下位置Ａ、Ｂが記憶されており、例えば、上位のプロセスコンピュータから入力される素管Ｓの寸法、肉厚、材料等に応じて適宜選択するように構成されている。
【００４８】
第２の圧下位置設定部１３２にも、第１の圧下位置設定部１３１と同様に、外部から端部検出信号等が入力され、素管Ｓの端部（先端部及び後端部）が上流スタンド＃ｉ−２に到達するタイミングと、抜け出るタイミングとを算出する。
【００４９】
また、第２の圧下位置設定部１３１は、第１の圧下位置設定部１３１と同様に、前記算出したタイミングに基づいて、上流スタンド＃ｉ−２に配設された第２の孔型圧延ロールの圧下位置調整量を設定し、当該設定した圧下位置調整量を第２の圧下位置調整装置１２に対して送信する。なお、第２の圧下位置調整装置１２に対して送信する圧下位置調整量（すなわち、上流スタンド＃ｉ−２において素管Ｓの端部を圧延する際に、当該上流スタンド＃ｉ−２に配設された第２の孔型圧延ロールの圧下位置を外方へ変動させる変動量に対応）は、必ずしも第１の圧下位置調整装置１に送信する圧下位置調整量と同じ値に設定する必要はなく、例えば、０より大きく１より小さい所定の係数（例えば、０．８等）を乗算した値に設定することも可能である。
【００５０】
以上に説明した本実施形態に係る圧延制御装置１によれば、仕上スタンド＃ｉのみならず、上流スタンド＃ｉ−２において素管Ｓの端部を圧延する際にも、当該スタンドに配設された第２の孔型圧延ロールの圧下位置を外方に変動させることになる。従って、第２の孔型圧延ロールで素管Ｓを圧延する際における溝底部での圧下量が低下するため、これにより次のスタンドに配設された孔型圧延ロールのフランジ部に対向する部分の肉厚が過度に減肉されることがなく、ひいては次の仕上スタンド＃ｉに配設された第１の孔型圧延ロールで圧延する際に溝底未圧延が生じることがない。これにより、素管Ｓの端部を所望する肉厚に精度良く圧延し得ると共に、素管Ｓの表面性状を劣化させることがないという優れた利点が得られる。
【００５１】
なお、本実施形態では、第１の圧下位置調整装置１１のみならず、第２の圧下位置調整装置１２も一本の素管Ｓを圧延中に圧下位置を変動させ得る機構とされている構成について説明した。しかしながら、マンドレルミルＭの中には、仕上スタンド＃ｉを除いて上記機構を具備しないミルも存在するため、このようなマンドレルミルに対しては、素管Ｓの位置に応じて圧下位置を変動させるのではなく、素管Ｓを圧延する前に上流スタンド＃ｉ−２の孔型圧延ロールの圧下位置を予め外方に変更する構成を採用すればよい。
【００５２】
斯かる構成を採用する場合には、第２の圧下位置設定部１３２は、例えば、外部から素管Ｓの先端部検出信号が入力されたタイミングで圧下位置調整量（予め記憶された外方の圧下位置に変更するために必要となる調整量）を設定し、当該設定した圧下位置調整量を第２の圧下位置調整装置１２に対して送信する。第２の圧下位置調整装置１２は、送信された圧下位置調整量に基づき、第２の孔型圧延ロールの圧下位置を外方に変更する。当該変更された圧下位置は、素管Ｓの圧延中、同じ値に維持されることになる。
【００５３】
＜第２の実施形態＞
図２は、本発明の第２の実施形態に係るマンドレルミルの圧延制御方法を実施するための圧延制御装置の概略構成を模式的に示すブロック図である。
図２に示すように、本実施形態に係る圧延制御装置２は、圧下位置調整装置２１と、演算制御装置２２とを備えている。
【００５４】
圧下位置調整装置２１は、マンドレルミルＭを構成する各スタンドの内、仕上スタンド＃ｉに配設された孔型圧延ロールの圧下位置を調整するためのシリンダー等から構成され、一本の素管Ｓを圧延中に当該素管Ｓの位置（先端部、中央部、後端部）に応じて孔型圧延ロールの圧下位置を変動させ得る機構とされている。
【００５５】
演算制御装置２２は、第１の実施形態と同様に、ＣＰＵ等のハードウェアを具備するコンピュータから構成されているが、仕上スタンド＃ｉの出側（本実施形態では、マンドレルミルＭの出側）に配設され各スタンドの圧下方向に沿った素管Ｓの肉厚（例えば、マンドレルミルＭが２ロール式の場合には４方向の肉厚）を測定する肉厚計Ｉに接続されている点で、第１の実施形態と異なる。演算制御装置２２は、内蔵する制御プログラムに従ってハードウェアを適宜駆動することにより、圧下位置設定部２２１と未圧延判定部２２２としての機能を奏し、肉厚計Ｉの出力に基づいて、圧下位置調整装置２１に対して圧下位置調整の中断を指示するように構成されている。以下、より具体的に説明する。
【００５６】
圧下位置設定部２２１には、第１の実施形態で説明した第１の圧下位置設定部１３１と同様に、素管Ｓの端部検出信号等が入力され、素管Ｓの端部（先端部及び後端部）が仕上スタンド＃ｉに到達するタイミングと、抜け出るタイミングとを算出する。また、圧下位置設定部２２１には、第１の実施形態と同様に、仕上スタンド＃ｉにおいて素管Ｓの端部及び中央部をそれぞれ圧延する際の孔型圧延ロールの圧下位置がそれぞれ記憶されている。圧下位置設定部２２１は、前記算出したタイミング及び前記記憶された孔型圧延ロールの圧下位置に基づいて、仕上スタンド＃ｉに配設された孔型圧延ロールの圧下位置調整量を設定し、当該設定した圧下位置調整量を圧下位置調整装置２１に対して送信する。これにより、仕上スタンド＃ｉにおいて素管Ｓの端部を圧延する際に、当該仕上スタンド＃ｉに配設された孔型圧延ロールの圧下位置を前記圧下位置調整量に応じた量だけ外方に変動させることが可能である。
【００５７】
未圧延判定部２２２には、肉厚計Ｉの出力（素管Ｓの端部の実績肉厚）が入力される。また、未圧延判定部２２２には、素管Ｓの端部の目標肉厚が予め記憶されている。未圧延判定部２２２は、素管Ｓの目標肉厚と実績肉厚とを比較し、目標肉厚よりも実績肉厚の方が小さい（仕上スタンド＃ｉの圧下方向について測定した実績肉厚の内、少なくとも何れか一つの実績肉厚が目標肉厚よりも小さい）場合には「溝底未圧延」が発生したと判定し、それ以外の場合には発生しなかったと判定する。なお、素管Ｓの端部の目標肉厚は、圧延する素管Ｓの寸法、肉厚（中央部の目標肉厚）、材料等に応じて異なる値であるため、第１の圧下位置調整装置１１には、それぞれ寸法、肉厚（中央部の肉厚）、材料等に応じた複数の目標肉厚が記憶されており、例えば、上位のプロセスコンピュータから入力される素管Ｓの寸法、肉厚（中央部の肉厚）、材料等に応じて適宜選択するように構成されている。
【００５８】
圧下位置設定部２２１は、未圧延判定部２２２において「溝底未圧延」が発生したと判定された場合には、次回に圧延する素管Ｓについて孔型圧延ロールの圧下位置変動の中断を指示する。換言すれば、素管Ｓの端部を圧延する際にも、素管Ｓの中央部を圧延する際と同じ圧下位置に維持することを圧下位置調整装置２１に対して指示する。つまり、素管Ｓの端部を圧延する際における圧下位置調整量を０に設定し、これを圧下位置調整装置２１に対して送信する。一方、未圧延判定部２２２において「溝底未圧延」が発生しなかったと判定された場合には、次回に圧延する素管Ｓについても、予め記憶された素管Ｓの端部及び中央部をそれぞれ圧延する際の孔型圧延ロールの圧下位置に従って、圧下位置調整量を設定し、これを圧下位置調整装置２１に対して送信する。
【００５９】
以上に説明した本実施形態に係る圧延制御装置２によれば、次回に圧延する素管Ｓについては、孔型圧延ロールの外方への変動が中断されるため、当該孔型圧延ロールの圧下量が低下せず、仕上スタンド＃ｉにおける「溝底未圧延」を防止し得ることが期待できる。これにより、素管Ｓの端部を所望する肉厚に精度良く圧延し得ると共に、素管Ｓの表面性状を劣化させることがないという優れた利点が得られる。
【００６０】
なお、本実施形態では、「溝底未圧延」が発生しなかった場合における、次回の素管Ｓに対する孔型圧延ロールの外方への変動量は、肉厚計Ｉによって測定した素管Ｓ端部の実績肉厚に関わらず予め設定した値とする構成について説明した。より具体的には、未圧延判定部２２２において「溝底未圧延」が発生しなかったと判定された場合には、次回に圧延する素管Ｓについても、予め記憶された素管Ｓの端部及び中央部をそれぞれ圧延する際の孔型圧延ロールの圧下位置に従って、圧下位置調整量を設定し、これを圧下位置調整装置２１に対して送信する構成について説明した。
【００６１】
しかしながら、本発明は、これに限るものではなく、「溝底未圧延」が発生しなかった場合における、次回の素管Ｓに対する孔型圧延ロールの外方への変動量を、肉厚計Ｉによって測定した素管Ｓ端部の実績肉厚に応じて変更する構成を採用することも可能である。より具体的には、例えば、実績肉厚の方が目標肉厚よりも大きかった場合には、その差の分だけ、素管Ｓ端部を圧延する際の孔型圧延ロールの圧下位置を内方に更新して記憶する。そして、次回に圧延する素管Ｓについては、予め記憶された素管Ｓの中央部を圧延する際の圧下位置と、前記更新記憶された素管Ｓの端部を圧延する際の圧下位置とに従って、圧下位置調整量を設定し、これを圧下位置調整装置２１に対して送信する構成を採用することも可能である。斯かる構成において、「溝底未圧延」が発生したと判定した場合には、上記肉厚計Ｉによって測定した実績肉厚に応じた設定値の変更を中断し、次回に圧延する素管Ｓについても今回の設定値を適用すればよい。これにより、孔型圧延ロールを外方に際限なく変動させてしまうという問題を解消することが可能である。
【００６２】
また、本実施形態では、未圧延判定部２２２において、素管Ｓの目標肉厚と実績肉厚とを比較し、その大小に応じて「溝底未圧延」の発生有無を判断する構成について説明した。しかしながら、未圧延判定部２２２における「溝底未圧延」発生有無の判定方法はこれに限るものではなく、例えば、孔型圧延ロールの圧下位置の変動量と、肉厚計Ｉで測定した素管Ｓの孔型圧延ロールの変動方向に沿った実績肉厚の変化量とを比較し、変化量が変動量よりも小さければ、「溝底未圧延」が生じていると判断する方法を採用することも可能である。
【００６３】
この場合、未圧延判定部２２２は、圧下位置設定部２２１で設定された圧下位置調整量（素管Ｓの端部を圧延する際に孔型圧延ロールの圧下位置を外方へ変動させる変動量に対応）を参照し、当該参照した圧下位置調整量と、肉厚計Ｉから入力された素管Ｓの端部及び中央部の実績肉厚（孔型圧延ロールの変動方向に沿った実績肉厚）によって算出した実績肉厚の変化量（端部の実績肉厚と中央部の実績肉厚との差）とを比較し、変化量が変動量よりも小さければ、「溝底未圧延」が生じていると判断することになる。なお、変化量と変動量とをそのまま比較するのではなく、変化量と、変動量に０より大きく１より小さい所定の係数（例えば、０．５等）を乗算した値とを比較し、それでもなお変化量の方が小さければ「溝底未圧延」が生じていると判断するように構成してもよい。
【００６４】
さらに、未圧延判定部２２２における「溝底未圧延」発生有無の他の判定方法として、例えば、今回圧延した素管Ｓについての孔型圧延ロールの変動後の圧下位置と、前回圧延した素管Ｓについての第１の孔型圧延ロールの変動後の圧下位置との差を算出すると共に、今回圧延した素管Ｓについての肉厚計Ｉで測定した孔型圧延ロールの変動方向に沿った実績肉厚と、前回圧延した素管についての肉厚計Ｉで測定した孔型圧延ロールの変動方向に沿った実績肉厚との差を算出し、前記圧下位置の差と前記実績肉厚の差とを比較して、前記実績肉厚の差が前記圧下位置の差よりも小さければ、「溝底未圧延」が生じていると判断する構成を方法を採用することも可能である。
【００６５】
この場合、未圧延判定部２２２は、前回圧延した素管Ｓについて圧下位置設定部２２１に記憶（段落００６１に記載したように更新記憶された場合も含む）されていた孔型圧延ロールの変動後の圧下位置（つまり、素管Ｓの端部を圧延する際の圧下位置）を参照しておき、これを記憶しておくと共に、今回圧延した素管Ｓについて圧下位置設定部２２１に記憶（更新記憶された場合も含む）されている孔型圧延ロールの変動後の圧下位置（つまり、素管Ｓの端部を圧延する際の圧下位置）を参照し、後者から前者を減算することにより、圧下位置の差（今回圧延と前回圧延との圧下位置の差）を算出することになる。また、未圧延判定部２２２は、前回圧延した素管Ｓについて肉厚計Ｉから入力された端部の実績肉厚（孔型圧延ロールの変動方向に沿った実績肉厚）を記憶しておき、これを今回圧延した素管Ｓについて肉厚計Ｉから入力された端部の実績肉厚（孔型圧延ロールの変動方向に沿った実績肉厚）から減算することにより、実績肉厚の差（今回圧延と前回圧延との実績肉厚の差）を算出する。未圧延判定部２２２は、圧下位置の差と実績肉厚の差とを比較して、実績肉厚の差が圧下位置の差よりも小さければ、「溝底未圧延」が生じていると判断することになる。なお、圧下位置の差と実績肉厚の差とをそのまま比較するのではなく、実績肉厚の差と、圧下位置の差に０より大きく１より小さい所定の係数（例えば、０．５等）を乗算した値とを比較し、それでもなお実績肉厚の差の方が小さければ「溝底未圧延」が生じていると判断するように構成してもよい。
【００６６】
＜第３の実施形態＞
図３は、本発明の第３の実施形態に係るマンドレルミルの圧延制御方法を実施するための圧延制御装置の概略構成を模式的に示すブロック図である。
図３に示すように、本実施形態に係る圧延制御装置３は、第１の圧下位置調整装置３１と、第２の圧下位置調整装置３２と、演算制御装置３３とを備えている。
【００６７】
第１の圧下位置調整装置３１は、マンドレルミルＭを構成する各スタンドの内、仕上スタンド＃ｉに配設された孔型圧延ロールの圧下位置を調整するためのシリンダー等から構成されている。第２の圧下位置調整装置３２は、仕上スタンド＃ｉと圧下方向が同一である直近の上流スタンド（仕上スタンド＃ｉよりも２スタンドだけ上流に位置するスタンドになる）＃ｉ−２に配設された孔型圧延ロールの圧下位置を調整するためのシリンダー等から構成されている。演算制御装置３３は、第１の圧下位置調整装置３１及び第２の圧下位置調整装置３２に接続され、第１の圧下位置調整装置３１及び第２の圧下位置調整装置３２に対して所定の圧下位置調整量を指示するように構成されている。なお、本実施形態に係る第１及び第２の圧下位置調整装置３１、３２は、双方共に、一本の素管Ｓを圧延中に当該素管Ｓの位置（先端部、中央部、後端部）に応じて孔型圧延ロールの圧下位置を変動させ得る機構とされている。
【００６８】
演算制御装置３２は、第１の実施形態と同様に、ＣＰＵ等のハードウェアを具備するコンピュータから構成されているが、仕上スタンド＃ｉの出側（本実施形態では、マンドレルミルＭの出側）に配設され各スタンドの圧下方向に沿った素管Ｓの肉厚（例えば、マンドレルミルＭが２ロール式の場合には４方向の肉厚）を測定する肉厚計Ｉに接続されている点で、第１の実施形態と異なる。演算制御装置３２は、内蔵する制御プログラムに従ってハードウェアを適宜駆動することにより、第１の圧下位置設定部３３１と第２の圧下位置設定部３３２としての機能を奏し、肉厚計Ｉの出力及び素管Ｓの端部の現在位置に基づいて、第１の圧下位置調整装置３１及び第２の圧下位置調整装置３２に対して所定の圧下位置調整量を指示し得るように構成されている。以下、より具体的に説明する。
【００６９】
第１の圧下位置設定部３３１には、第１の実施形態で説明した第１の圧下位置設定部１３１と同様に、素管Ｓの端部検出信号等が入力され、素管Ｓの端部（先端部及び後端部）が仕上スタンド＃ｉに到達するタイミングと、抜け出るタイミングとを算出する。また、第１の圧下位置設定部３３１には、第１の実施形態と同様に、仕上スタンド＃ｉにおいて素管Ｓの端部及び中央部をそれぞれ圧延する際の第１の孔型圧延ロール（仕上スタンド＃ｉに配設された第１の孔型圧延ロール）の圧下位置がそれぞれ記憶されている。第１の圧下位置設定部３３１は、前記算出したタイミング及び前記記憶された第１の孔型圧延ロールの圧下位置に基づいて、仕上スタンド＃ｉに配設された第１の孔型圧延ロールの圧下位置調整量を設定し、当該設定した圧下位置調整量を第１の圧下位置調整装置３１に対して送信する。これにより、仕上スタンド＃ｉにおいて素管Ｓの端部を圧延する際に、当該仕上スタンド＃ｉに配設された第１の孔型圧延ロールの圧下位置を前記圧下位置調整量に応じた量だけ外方に変動させることが可能である。
【００７０】
ここで、本実施形態に係る第１の圧下位置設定部３３１には、肉厚計Ｉの出力が入力されている。また、第１の圧下位置設定部３３１には、素管Ｓの端部の目標肉厚が予め記憶されている。第１の圧下位置設定部３３１は、素管Ｓの目標肉厚と実績肉厚とを比較し、目標肉厚よりも実績肉厚の方が小さい（仕上スタンド＃ｉの圧下方向について測定した実績肉厚の内、少なくとも何れか一つの実績肉厚が目標肉厚よりも小さい）場合には「溝底未圧延」が発生したと判断する。なお、目標肉厚と実績肉厚とを比較することにより「溝底未圧延」の発生有無を判定する方法に替えて、前述した第２の実施形態で説明した（段落００６２〜００６５参照）のと同様に、他の「溝底未圧延」発生有無の判定方法を適用することも可能である。第１の圧下位置設定部３３１が「溝底未圧延」が発生したと判断すれば、第２の圧下位置設定部３３２がこの結果を参照し、後述するように、次回に圧延する素管Ｓについては、仕上スタンド＃ｉの直近に位置し且つ前記実績肉厚の方が小さい結果が得られた肉厚測定方向と同一の圧下方向を有する上流スタンド＃ｉ−２において、第２の圧下位置調整装置３２に対して所定の圧下位置調整量を指示するように構成されている。
【００７１】
なお、第１の圧下位置設定部３３１は、次回の素管Ｓに対する第１の孔型圧延ロールの外方への変動量を、肉厚計Ｉによって測定した素管Ｓ端部の実績肉厚に応じて変更するように構成することも可能である。より具体的には、例えば、実績肉厚の方が目標肉厚よりも大きかった場合には、その差の分だけ、素管Ｓ端部を圧延する際の第１の孔型圧延ロールの圧下位置を内方に更新して記憶する。そして、次回に圧延する素管Ｓについては、予め記憶された素管Ｓの中央部を圧延する際の圧下位置と、前記更新記憶された素管Ｓの端部を圧延する際の圧下位置とに従って、圧下位置調整量を設定し、これを圧下位置調整装置３１に対して送信する構成を採用することも可能である。
【００７２】
第２の圧下位置設定部３３２にも、第１の圧下位置設定部３３１と同様に、外部から端部検出信号等が入力され、素管Ｓの端部（先端部及び後端部）が上流スタンド＃ｉ−２に到達するタイミングと、抜け出るタイミングとを算出する。
【００７３】
第２の圧下位置設定部３３２は、第１の圧下位置設定部３３１を参照し、第１の圧下位置設定部３３１で「溝底未圧延」が生じていると判定された場合、前記算出したタイミングに基づいて、上流スタンド＃ｉ−２に配設された第２の孔型圧延ロールの圧下位置調整量を設定し、当該設定した圧下位置調整量を第２の圧下位置調整装置１２に対して送信する。なお、第２の圧下位置調整装置１２に対して送信する圧下位置調整量（すなわち、上流スタンド＃ｉ−２において素管Ｓの端部を圧延する際に、当該上流スタンド＃ｉ−２に配設された第２の孔型圧延ロールの圧下位置を外方へ変動させる変動量に対応）としては、種々の態様を採用することができるが、例えば、第１の圧下位置調整装置１２で算出した目標肉厚と実績肉厚との差に０．８〜１．２程度の係数を乗算して得られる値とすることが考えられる。或いは、目標肉厚と実績肉厚との差が所定値以下（例えば、０．１ｍｍ）となるまで、一定の値（例えば、０．２ｍｍ）とすることも考えられる。
【００７４】
以上に説明した本実施形態に係る圧延制御装置３によれば、肉厚計Ｉの出力によって「溝底未圧延」が発生していると判断した場合、次回に圧延する素管Ｓについて、仕上スタンド＃ｉのみならず、「溝底未圧延」が発生していると判断された方向と同一の圧下方向を有する上流スタンド＃ｉ−２に配設された第２の孔型圧延ロールの圧下位置を外方に変動させることになる。従って、上流スタンド＃ｉ−２における圧下量が低下し、前記圧下方向についての素管の肉厚が増加するため、仕上スタンド＃ｉで圧延する際の「溝底未圧延」を防止することが可能である。これにより、素管Ｓの端部を所望する肉厚に精度良く圧延し得ると共に、素管Ｓの表面性状を劣化させることがないという優れた利点が得られる。
【００７５】
なお、本実施形態では、第１の圧下位置調整装置３１のみならず、第２の圧下位置調整装置３２も一本の素管Ｓを圧延中に圧下位置を変動させ得る機構とされている構成について説明した。しかしながら、マンドレルミルＭの中には、仕上スタンド＃ｉを除いて上記機構を具備しないミルも存在するため、このようなマンドレルミルに対しては、素管Ｓの位置に応じて圧下位置を変動させるのではなく、素管Ｓを圧延する前に上流スタンド＃ｉ−２の第２の孔型圧延ロールの圧下位置を予め外方に変更する構成を採用すればよい。
【実施例】
【００７６】
以下、実施例及び比較例を示すことにより、本発明の特徴をより一層明らかにする。
本発明に係る圧延制御方法を６スタンド（仕上スタンドは＃５、＃６スタンド）の２ロール式マンドレルミルに対して適用し、下記の条件で圧延試験を実施した。
（１）ミル入側の素管寸法：外径１９０ｍｍ、肉厚１６ｍｍ、長さ４６００ｍｍ
（２）ミル出側の素管寸法：外径１６８ｍｍ、肉厚５ｍｍ、長さ１５０００ｍｍ
（３）マンドレルバー外径：１５８ｍｍ
（４）各スタンド出側での目標肉厚（溝底部肉厚）
＃１スタンド：１０ｍｍ  ＃２スタンド：９ｍｍ  ＃３スタンド：６ｍｍ
＃４スタンド：５．５ｍｍ  ＃５スタンド：５ｍｍ  ＃６スタンド：５ｍｍ
【００７７】
＜実施例１−１＞
＃５、＃６スタンドについては、素管の端部を圧延する際に、図４に示すパターンで孔型圧延ロールの圧下位置を外方に変動させた。＃３、＃４スタンドについても同じパターンで孔型圧延ロールの圧下位置を外方に変動させて圧延した。＃１、＃２スタンドについては初期の設定通りに圧延した。
【００７８】
＜実施例１−２＞
＃５、＃６スタンドについて、実施例１−１と同様に圧延した。ただし、＃３、＃４スタンドについては、図４に示すパターンの変動量を０．８倍（つまり、最大０．４ｍｍ）にして圧延した。＃１、＃２スタンドについては初期の設定通りに圧延した。
【００７９】
＜実施例１−３＞
＃５、＃６スタンドについて、実施例１−１と同様に圧延した。ただし、＃３、＃４スタンドについては、素管の圧延前に、目標肉厚がそれぞれ６．５ｍｍ（＃３スタンド）、６ｍｍ（＃４スタンド）となるように、孔型圧延ロールの圧下位置を外方にそれぞれ変更してから圧延した。＃１、＃２スタンドについては初期の設定通りに圧延した。
【００８０】
＜比較例１＞
＃５、＃６スタンドについてのみ、素管の端部を圧延する際に、図４に示すパターンで孔型圧延ロールの圧下位置を外方に変動させた。＃１〜＃４スタンドについては初期の設定通りに圧延した。
【００８１】
＜評価＞
実施例１−１〜１−３及び比較例１について、圧延後の素管の肉厚不良率を評価した。ここで、圧延後の素管の端部について、実測した肉厚と肉厚の目標値（例えば、実施例１の場合、端部の肉厚目標値は５．５ｍｍ）との差が、肉厚の目標値に対して±２％の範囲を越える測定箇所があれば肉厚不良とした。肉厚不良率は下記の式で定義した。
肉厚不良率＝肉厚不良となった本数／圧延した全本数（％）
【００８２】
評価結果を表１に示す。
【表１】
2006015353.tif 000003
表１に示すように、比較例１と異なり、実施例１−１〜１−３の全てについて素管の端部を所望する肉厚に精度良く圧延できることが分かった。
【００８３】
＜実施例２−１＞
＃５、＃６スタンドについては、次回に圧延する素管の端部を圧延する際に、肉厚計によって測定した実績肉厚に基づいて図４に示すパターンを変更し、当該変更後のパターンで孔型圧延ロールの圧下位置を外方に変動させた。換言すれば、実績肉厚が目標肉厚に近づくように、実績肉厚と目標肉厚との差に相当する分だけ設定値（圧下位置変動量）を変更した。ただし、目標肉厚よりも実績肉厚の方が小さい場合には、「溝底未圧延」が発生していると判断し、実績肉厚に応じた設定値の変更（パターンの変更）を中断し、次回に圧延する素管についても今回の設定値のままで圧延することにした。＃１〜＃４スタンドについては初期の設定通りに圧延した。
【００８４】
＜実施例２−２＞
＃５、＃６スタンドについて、実施例２−１と同様に圧延した。ただし、「溝底未圧延」の発生有無の判定方法としては、孔型圧延ロールの圧下位置の変動量と、肉厚計で測定した素管の孔型圧延ロールの変動方向に沿った実績肉厚の変化量とを比較し、変化量が変動量の０．５倍以下であれば、「溝底未圧延」が生じていると判断する方法を採用した。
【００８５】
＜実施例２−３＞
＃５、＃６スタンドについては、次回に圧延する素管の端部を圧延する際に、肉厚計によって測定した実績肉厚に基づいて図４に示すパターンを変更し、当該変更後のパターンで孔型圧延ロールの圧下位置を外方に変動させた。＃３、＃４スタンドについても、＃５、＃６スタンドと同じパターンで孔型圧延ロールの圧下位置を外方に変動させて圧延した。＃１、＃２スタンドについては初期の設定通りに圧延した。
【００８６】
＜実施例２−４＞
＃５、＃６スタンドについて、実施例２−３と同様に圧延した。ただし、＃３、＃４スタンドについては、＃５、＃６スタンドのパターンの変動量を０．８倍にして圧延した。＃１、＃２スタンドについては初期の設定通りに圧延した。
【００８７】
＜実施例２−５＞
＃５、＃６スタンドについて、実施例２−３と同様に圧延した。ただし、＃３、＃４スタンドについては、素管の圧延前に、目標肉厚がそれぞれ６．５ｍｍ（＃３スタンド）、６ｍｍ（＃４スタンド）となるように、孔型圧延ロールの圧下位置を外方にそれぞれ変更してから圧延した。＃１、＃２スタンドについては初期の設定通りに圧延した。
【００８８】
＜実施例２−６＞
＃５、＃６スタンドについて、実施例２−３と同様に圧延した。目標肉厚よりも実績肉厚の方が小さい場合には、「溝底未圧延」が発生していると判断し、仕上スタンド（＃５、＃６スタンド）の直近に位置し且つ前記実績肉厚の方が小さい結果が得られた肉厚測定方向と同一の圧下方向を有する上流スタンド（少なくとも＃３、＃４の何れか一方のスタンド）についても、＃５、＃６スタンドと同じパターンで孔型圧延ロールの圧下位置を外方に変動させて圧延した。＃１、＃２スタンド（及び＃３、＃４スタンドの内、変動させなかったスタンドも含む）については初期の設定通りに圧延した。
【００８９】
＜実施例２−７＞
実施例２−６と同様に圧延した。ただし、「溝底未圧延」の発生有無の判定方法としては、孔型圧延ロールの圧下位置の変動量と、肉厚計で測定した素管の孔型圧延ロールの変動方向に沿った実績肉厚の変化量とを比較し、変化量が変動量の０．５倍以下であれば、「溝底未圧延」が生じていると判断する方法を採用した。
【００９０】
＜比較例２＞
＃５、＃６スタンドについてのみ、次回に圧延する素管の端部を圧延する際に、肉厚計によって測定した実績肉厚に基づいて図４に示すパターンを変更し、当該変更後のパターンで孔型圧延ロールの圧下位置を外方に変動させた。＃１〜＃４スタンドについては初期の設定通りに圧延した。
【００９１】
＜評価＞
実施例２−１〜２−７及び比較例２について、圧延後の素管の肉厚不良率を評価した。肉厚不良率の定義は、前述したものと同様であるので説明を省略する。また、仕上スタンドである＃５、＃６スタンドに配設された孔型圧延ロールの圧下位置が初期設定値から１ｍｍ以上外方に変動した頻度についても評価した。後者は「溝底未圧延」が生じて目標肉厚よりも実績肉厚の方が小さくなった場合に、仕上スタンドの孔型圧延ロールを外方に際限なく変動させてしまう頻度に相当する評価指標である。
【００９２】
評価結果を表２に示す。
【表２】
2006015353.tif 000004
表２に示すように、実施例２−１〜２−７については、比較例２に比べて素管の端部を所望する肉厚に精度良く圧延できることが分かった。また、比較例２と異なり、仕上スタンドの孔型圧延ロールを外方に際限なく変動させてしまう事態は生じなかった。
【図面の簡単な説明】
【００９３】
【図１】図１は、本発明の第１の実施形態に係るマンドレルミルの圧延制御方法を実施するための圧延制御装置の概略構成を模式的に示すブロック図である。
【図２】図２は、本発明の第２の実施形態に係るマンドレルミルの圧延制御方法を実施するための圧延制御装置の概略構成を模式的に示すブロック図である。
【図３】図３は、本発明の第３の実施形態に係るマンドレルミルの圧延制御方法を実施するための圧延制御装置の概略構成を模式的に示すブロック図である。
【図４】図４は、仕上スタンドに配設された孔型圧延ロールの圧下位置変動パターンの一例を示す模式図である。
【符号の説明】
【００９４】
１・・・圧延制御装置
１１・・・第１の圧下位置調整装置
１２・・・第２の圧下位置調整装置
１３・・・演算制御装置
Ｍ・・・マンドレルミル
Ｓ・・・素管
１３１・・・第１の圧下位置設定部
１３２・・・第２の圧下位置設定部  
【図１】
2006015353.tif 000005
【図２】
2006015353.tif 000006
【図３】
2006015353.tif 000007
【図４】
2006015353.tif 000008